(57)【要約】【課題】投稿された動画のコンテンツをイベントごとに制御できるようにする。【解決手段】開催されるイベントの識別情報により変調された光を前記イベント内で照射する照明部と、投稿された動画から光の変調により埋め込まれた前記識別情報を抽出し、該識別情報に対応付けられた制御情報で指定された処理を実行する制御部と、を備える。【選択図】図１
2018074412.tif 000002
【特許請求の範囲】
【請求項１】
開催されるイベントの識別情報により変調された光を前記イベント内で照射する照明部と、
投稿された動画から光の変調により埋め込まれた前記識別情報を抽出し、該識別情報に対応付けられた制御情報で指定された処理を実行する制御部と、
を備えたことを特徴とするコンテンツ配信システム。
【請求項２】
前記制御情報で指定された処理は、前記動画の公開または非公開に対応する処理である、
ことを特徴とする請求項１に記載のコンテンツ配信システム。
【請求項３】
前記識別情報は、イベントごとに重複なく発行される情報であり、該情報が前記動画から抽出された場合に、該情報に対応付けられた前記制御情報を特定し、該制御情報で指定された処理を実行する、
ことを特徴とする請求項１または２に記載のコンテンツ配信システム。
【請求項４】
前記識別情報は、イベントの開催場所および開催日時に対応する情報であり、該情報が前記動画から抽出された場合に、該情報に対応付けられた前記制御情報を特定し、該制御情報で指定された処理を実行する、
ことを特徴とする請求項１または２に記載のコンテンツ配信システム。
【請求項５】
前記動画の投稿または閲覧に関する情報を前記イベントの主催者または権利者に提供する提供部、
を備えたことを特徴とする請求項１乃至４のいずれか一項に記載のコンテンツ配信システム。
【請求項６】
動画の投稿を受け付ける受付部と、
受け付けた動画から、照明光による、光の変調により埋め込まれたイベントの識別情報を抽出し、該識別情報に対応付けられた制御情報で指定された処理を実行する制御部と、
を備えたことを特徴とする情報処理装置。
【請求項７】
イベントで使用される照明光に光の変調により埋め込む前記イベントの識別情報であって、投稿された動画に対する処理を指定する制御情報に対応付けられた識別情報を発行する発行部、
を備えたことを特徴とする情報処理装置。
【請求項８】
動画の投稿を受け付け、
受け付けた動画から、照明光による、光の変調により埋め込まれたイベントの識別情報を抽出し、該識別情報に対応付けられた制御情報で指定された処理を実行する、
処理をコンピュータに実行させることを特徴とするコンテンツ配信制御プログラム。
【請求項９】
イベントで使用される照明光に光の変調により埋め込む前記イベントの識別情報であって、投稿された動画に対する処理を指定する制御情報に対応付けられた識別情報を発行する、
処理をコンピュータに実行させることを特徴とするコンテンツ配信制御プログラム。
【請求項１０】
動画の投稿を受け付け、
受け付けた動画から、照明光による、光の変調により埋め込まれたイベントの識別情報を抽出し、該識別情報に対応付けられた制御情報で指定された処理を実行する、
処理をコンピュータが実行することを特徴とするコンテンツ配信制御方法。
【請求項１１】
イベントで使用される照明光に光の変調により埋め込む前記イベントの識別情報であって、投稿された動画に対する処理を指定する制御情報に対応付けられた識別情報を発行する、
処理をコンピュータが実行することを特徴とするコンテンツ配信制御方法。
【発明の詳細な説明】
【技術分野】
【０００１】
本発明は、コンテンツ配信システム、情報処理装置、コンテンツ配信制御プログラムおよびコンテンツ配信制御方法に関する。
【背景技術】
【０００２】
従来、テレビ番組や映画等の動画のコンテンツが無断で録画され、動画投稿サイトやＳＮＳ（Social Networking Service）に無断で投稿されることが問題視されていたが、電子指紋技術（例えば、非特許文献１等を参照）の利用により、自動的なコンテンツの削除が可能となっている。すなわち、電子指紋技術は、動画の画像や音声から時間的な変化の特徴量を抽出するものであり、コンテンツの権利者は予めその特徴量（電子指紋）を動画投稿サイトやＳＮＳの運営者に提供しておく。運営者は、提供された電子指紋が投稿されたコンテンツに含まれているか否かを自動的に判断し、電子指紋が含まれている場合にはコンテンツの削除等の対処を行う。
【０００３】
一方、著作権制限情報とライセンス情報に基づいてコンテンツの利用が可能か否かが判定され、判定結果に応じて課金処理が行われる技術が開示されている（例えば、特許文献１等を参照）。ただし、利用者がライセンスを持っているか否かを判断する技術であって、無断で投稿されたコンテンツに対処するための技術ではない。
【先行技術文献】
【特許文献】
【０００４】
【特許文献１】特開２００６−３９９１８号公報
【非特許文献】
【０００５】
【非特許文献１】「輝度重心に基づくバイナリー特徴量の適応的照合による高速・高精度な同一映像検出」、内田ほか、電子情報通信学会論文誌  Ｄ  Vol.J93-D No.9 pp.1714-1716
【発明の概要】
【発明が解決しようとする課題】
【０００６】
上述したように、テレビ番組や映画等の定型的なコンテンツについては、電子指紋により無断の投稿への対処が行われるようになってきているが、コンサート等のイベントにおいて観客が主催者の指示・意向に従わずに隠れて撮影したコンテンツについては適用できない。これは、コンサート等のイベントにおいては、観客による撮影位置がそれぞれ異なることで、画像からイベントに一意の特徴量を抽出できないとともに、音声についても拍手、歓声等のノイズや観客位置による聞こえ方の違いにより一意の特徴量を抽出できないことによる。
【０００７】
そのため、投稿されたコンテンツが許可されたものか許可されていないものかは、人が目視でチェックしなければならない。動画投稿サイト等には一日数百万のコンテンツが投稿されるため、それらのすべてを目視で確認するのは現実的でなく、不正な投稿を検出するのは困難である。
【０００８】
また、昨今では様々な歌手によるコンサートでの楽曲等の全部または一部について撮影を許可し、積極的に動画共有サイトやＳＮＳでシェアして拡散を促す新たなプロモーション手法も取り入れられている。しかし、上述したように、投稿されたコンテンツからコンサート等のイベントを容易に判別できないため、そのようなプロモーションを展開することは困難である。
【０００９】
そこで、一側面では、投稿された動画のコンテンツをイベントごとに制御できるようにすることを目的とする。
【課題を解決するための手段】
【００１０】
一つの形態では、開催されるイベントの識別情報により変調された光を前記イベント内で照射する照明部と、投稿された動画から光の変調により埋め込まれた前記識別情報を抽出し、該識別情報に対応付けられた制御情報で指定された処理を実行する制御部と、を備える。
【発明の効果】
【００１１】
投稿された動画のコンテンツをイベントごとに制御することができる。
【図面の簡単な説明】
【００１２】
【図１】一実施形態にかかるシステムの構成例を示す図である。
【図２】照明装置の構成例を示す図である。
【図３】イベント情報管理テーブルのデータ構造例を示す図である。
【図４】動画管理テーブルのデータ構造例を示す図である。
【図５】アクセス履歴テーブルのデータ構造例を示す図である。
【図６】イベント情報管理装置等のハードウェア構成例を示す図である。
【図７】実施形態の処理例を示すシーケンス図（その１）である。
【図８】公開制御の処理例を示すフローチャート（その１）である。
【図９】公開制御の処理例を示すフローチャート（その２）である。
【図１０】実施形態の処理例を示すシーケンス図（その２）である。
【図１１】ユーザ情報の例を示す図である。
【図１２】権利者への提供情報の例を示す図である。
【発明を実施するための形態】
【００１３】
以下、本発明の好適な実施形態につき説明する。
【００１４】
＜システム構成＞
図１は一実施形態にかかるシステムの構成例を示す図である。図１において、コンサートや見本市等のイベント会場１には、照明透かしを照射光に埋め込むことのできる照明装置１１が１台以上備えられている。照明装置１１により光が照射された被写体１３をスマートフォン等の携帯端末６で撮影した動画からは、埋め込まれた照明透かしを抽出することができる。照明透かしとして埋め込む情報の設定は、照明装置１１に個別に手動で行うか、コントローラ１２が設けられる場合にはコントローラ１２を介して行う。コントローラ１２がスタンドアロン型である場合は、コントローラ１２に対して設定を手動で行い、ネットワーク型である場合は、インターネット等のネットワーク４を介してコントローラ１２に対してオンラインで情報の設定を行うことができる。
【００１５】
図２は照明装置１１の構成例を示す図である。図２において、照明装置１１は、設定・制御インタフェース部１１１と設定情報１１２と変調部１１３と駆動部１１４とＬＥＤランプ１１５とを備えている。設定・制御インタフェース部１１１は、手動またはオンラインにより照明透かしとして埋め込む情報の設定を受け付けて設定情報１１２として記憶するとともに、照明のオン・オフ、照明光の強度、色等を制御する機能を有している。設定情報１１２は、ここでは、イベントを特定するイベントＩＤを用いている。イベントＩＤは、例えば、イベントがコンサートである場合、コンサート全体に１つのイベントＩＤを割り当ててもよいし、コンサートで演奏される楽曲単位にイベントＩＤを割り当ててもよい。イベントＩＤは、後述する動画共有装置５においてイベントごとに異なる取扱を行うためにイベントを特定するものであり、異なるイベントに重複することがないように発行される。
【００１６】
変調部１１３は、設定・制御インタフェース部１１１の制御のもと、設定情報１１２に基づいて、光の強度（明るさ）または色に変調を行う機能を有している。駆動部１１４は、設定・制御インタフェース部１１１の制御のもと、変調部１１３の出力に従い、ＬＥＤランプ１１５に駆動のための電圧・電流を供給するものである。
【００１７】
図１に戻り、イベント主催者（権利者）端末２は、後述するイベント情報管理装置３へのイベント情報の登録、イベント情報管理装置３からのイベントＩＤの取得、コントローラ１２へのイベントＩＤの設定等を行う情報処理装置である。なお、これらの処理を手動で行う場合には、イベント主催者端末２を省略することができる。
【００１８】
イベント情報管理装置３は、イベント情報の登録を受け付けてイベントＩＤを発行する機能を有しており、イベント情報受付部３１とイベント情報管理テーブル３２とイベントＩＤ発行部３３とイベント情報提供部３４とを備えている。イベント情報受付部３１は、イベント主催者端末２から、または直接に、イベント情報の登録を受け付け、イベントＩＤ発行部３３により発行されたイベントＩＤとともにイベント情報管理テーブル３２に登録する機能を有している。また、イベント情報受付部３１は、イベントＩＤ発行部３３により発行されたイベントＩＤを主催者に提供する機能も有している。
【００１９】
図３はイベント情報管理テーブル３２の例を示しており、「イベントＩＤ」「権利者」「公開制御」「開始日時」「終了日時」「公開期限」「公開チェック」等の項目を有している。「イベントＩＤ」は、イベントを特定する識別情報である。イベントＩＤは、イベントごとに重複なく発行される情報であり、単純な連番や英数文字列でよい。なお、イベントの開催場所を示す情報と、開催日時（開始日時、終了日時等）を示す情報等を組み合わせることで、重複をチェックすることなくイベントＩＤを発行することができる。「権利者」は、イベントについての著作権等を有する者を特定する情報である。「権利者」には、後に情報提供を行う宛先となるメールアドレス等の情報を伴わせてもよいし、別途、権利者ごとにメールアドレス等を管理してもよい。
【００２０】
「公開制御」は、イベントの内容が撮影された動画について投稿が行われた場合に、公開を許可するか否か等の取扱を定めた情報であり、「公開」「広告付き公開」「非公開」等を含む。「公開」は、公開を許容することを示す。「広告付き公開」は、予め主催者と動画共有の運営者との間で合意したタイプの広告を付加した状態で公開を許容することを示す。「広告付き公開」の場合は、「広告付き公開」であることに加え、広告のタイプを特定する情報を伴わせてもよいし、別途、イベントＩＤに紐付けて広告のタイプを管理してもよい。「非公開」は、公開を許可しないことを示す。なお、「非公開」である場合、動画共有の運営者は通常は動画を所定期間保持した後に削除することとなるが、積極的に削除を要求する「削除」の指定が行えるようにしてもよい。
【００２１】
「開始日時」は、イベントの開始日時を示す情報である。「終了日時」は、イベントの終了日時を示す情報である。「公開期限」は、「公開制御」が「公開」または「広告付き公開」である場合に、公開を終了する日時を示す情報である。「公開チェック」は、「公開制御」が「公開」または「広告付き公開」である場合に、実際に公開する前に権利者の事前のチェックの要・不要を示す情報である。「公開チェック」が「要」である場合、投稿された動画の一つ一つの動画ＩＤを権利者に通知し、それぞれ個別に確認する処理を可能にする。なお、図３の例では含まれていないが、イベント情報にイベント会場についての情報を含めてもよい。
【００２２】
図１に戻り、イベントＩＤ発行部３３は、イベント情報受付部３１が主催者からイベント情報の登録を受け付けた際にイベントＩＤを発行する機能を有している。イベント情報提供部３４は、所定のタイミングでイベント情報管理テーブル３２の内容をネットワーク４を介して動画共有装置５に通知する機能を有している。
【００２３】
なお、イベント情報管理装置３は、イベントの主催者や動画共有装置５の運営者とは独立の事業者によって運営されるものでもよいし、イベントの主催者または動画共有装置５の運営者によって運営されるものでもよい。イベント情報管理装置３が動画共有装置５の運営者によって運営される場合、イベント情報管理装置３の機能は動画共有装置５に含めてもよい。
【００２４】
動画共有装置５は、動画投稿サイトやＳＮＳの制御装置である。動画共有装置５は、イベント情報受信部５０１とイベント情報管理テーブル５０２と投稿受付部５０３と動画管理テーブル５０４と照明透かし抽出部５０５と公開判断部５０６と広告付与部５０７と公開部５０８とを備えている。また、動画共有装置５は、アクセス管理部５０９とアクセス履歴テーブル５１０と情報提供部５１１とを備えている。
【００２５】
イベント情報受信部５０１は、イベント情報管理装置３のイベント情報提供部３４からイベント情報管理テーブル３２の内容の通知をネットワーク４を介して受信し、イベント情報管理テーブル５０２に登録する機能を有している。イベント情報管理テーブル５０２の内容は、図３に示したイベント情報管理テーブル３２の内容と同様である。
【００２６】
図１に戻り、投稿受付部５０３は、イベント会場１で観客が自己のスマートフォン等の携帯端末６により撮影した動画の投稿を受け付け、動画を所定の場所（ＵＲＬ：Uniform Resource Locator）に保存する機能を有している。動画の投稿は、撮影が完了した時点で生成される動画ファイルの形式による投稿のほか、生放送としてストリーミング形式の動画の投稿も含まれる。
【００２７】
照明透かし抽出部５０５は、投稿された動画を解析し、埋め込まれた照明透かしを抽出する機能を有している。前述したように、照明透かしは、照明光に重畳されるものであり、動画の各フレームの画像の差分から得られる明るさまたは色の変化に基づき、所定時間の変化から、埋め込まれている照明透かしの情報（ここではイベントＩＤ）を抽出することができる。詳しくは、例えば、国際公開公報ＷＯ２０１６／０４６８６２を参照されたい。
【００２８】
公開判断部５０６は、照明透かし抽出部５０５により照明透かしによるイベントＩＤが抽出されたか否か、抽出されたイベントＩＤがイベント情報管理テーブル５０２に登録されているか否か等に応じ、公開の可否等の取扱方法を判断する機能を有している。また、公開判断部５０６は、必要情報をイベント情報管理テーブル５０２からコピーして動画管理テーブル５０４に登録する機能も有している。
【００２９】
図４は動画管理テーブル５０４の例を示しており、「動画ＩＤ」「ＵＲＬ」「イベントＩＤ」「権利者」「公開制御」「公開期限」「投稿ユーザＩＤ」等の項目を有している。「動画ＩＤ」は、動画を特定する識別情報であり、重複しない動画ＩＤが付与される。「ＵＲＬ」は、動画を保存した場所を示す情報である。「イベントＩＤ」は、動画に埋め込まれた照明透かしから取得されたイベントＩＤである。「権利者」「公開制御」「公開期限」は、イベント情報管理テーブル５０２（図３）からイベントＩＤに基づいて取得される情報である。「投稿ユーザＩＤ」は、動画を投稿したユーザの識別情報である。なお、本実施形態では、動画を投稿したユーザ、更には動画を閲覧したユーザの情報を権利者に提供するために、会員登録したユーザを想定している。
【００３０】
図１に戻り、広告付与部５０７は、公開制御が「広告付き公開」であった場合に、所定の広告を動画に付与する機能を有している。公開部５０８は、公開制御が「公開」または「広告付き公開」であった場合に、投稿された動画を外部からアクセス可能な状態にして動画を公開する機能を有している。
【００３１】
アクセス管理部５０９は、公開された動画に対して携帯端末７等から閲覧のアクセスがあった場合に、アクセス履歴をアクセス履歴テーブル５１０に記録する機能を有している。図５はアクセス履歴テーブル５１０のデータ例を示しており、「アクセス日時」「アクセスユーザＩＤ」「動画ＩＤ」等の項目を有している。「アクセス日時」は、閲覧のアクセスが行われた日時の情報である。「アクセスユーザＩＤ」は、閲覧のアクセスを行ったユーザの識別情報である。「動画ＩＤ」は、動画を特定する識別情報である。
【００３２】
図１に戻り、情報提供部５１１は、イベントの権利者（主催者）によるプロモーション等の二次利用のために、動画の投稿や閲覧についての提供情報を生成して権利者（主催者）に提供する機能を有している。情報の提供は、オンラインで行う場合のほか、オフライン（メディアによるデータ提供等）で行う場合もある。
【００３３】
図６はイベント情報管理装置３、動画共有装置５等のハードウェア構成例を示す図である。図６において、イベント情報管理装置３等は、システムバス301に接続されたＣＰＵ（Central Processing Unit）302、ＲＯＭ（Read Only Memory）303、ＲＡＭ（Random Access Memory）304、ＮＶＲＡＭ（Non-Volatile Random Access Memory）305を備えている。また、イベント情報管理装置３等は、Ｉ／Ｆ（Interface）306と、Ｉ／Ｆ306に接続された、Ｉ／Ｏ（Input/Output Device）307、ＨＤＤ（Hard Disk Drive）／ＳＳＤ（Solid State Drive）308、ＮＩＣ（Network Interface Card）309とを備えている。また、イベント情報管理装置３等は、Ｉ／Ｏ307に接続されたモニタ310、キーボード311、マウス312等を備えている。Ｉ／Ｏ307にはＣＤ／ＤＶＤ（Compact Disk/Digital Versatile Disk）ドライブ等を接続することもできる。
【００３４】
図１で説明したイベント情報管理装置３、動画共有装置５等の機能は、ＣＰＵ302において所定のプログラムが実行されることで実現される。プログラムは、記録媒体を経由して取得されるものでもよいし、ネットワークを経由して取得されるものでもよいし、ＲＯＭ組込でもよい。
【００３５】
＜動作＞
図７は上記の実施形態の処理例を示すシーケンス図である。図７において、イベントの主催者は、イベントが開始される前に、例えば、イベント主催者端末２からイベント情報管理装置３に対してイベント情報を伴ってイベントＩＤの発行要求を行う（ステップＳ１０１）。主催者から提供するイベント情報は、権利者、公開制御、開始日時、終了日時、公開期限、公開チェック等を含む。
【００３６】
イベント情報管理装置３のイベント情報受付部３１は、イベントＩＤの発行要求を受け付けると、イベントＩＤ発行部３３によりイベントＩＤを発行する（ステップＳ１０２）。そして、イベント情報受付部３１は主催者から提供されたイベント情報と発行されたイベントＩＤをイベント情報管理テーブル３２に登録し（ステップＳ１０３）、発行されたイベントＩＤをイベント主催者端末２に応答する（ステップＳ１０４）。
【００３７】
また、イベント情報提供部３４は、イベント情報管理テーブル３２の内容をネットワーク４を介して動画共有装置５に通知し（ステップＳ１０５）、イベント情報受信部５０１は受信した情報をイベント情報管理テーブル５０２に登録する（ステップＳ１０６）。
【００３８】
一方、イベントＩＤを取得した主催者は、例えば、イベント主催者端末２からイベント会場１のコントローラ１２に対してイベントＩＤを通知し（ステップＳ１０７）、コントローラ１２は照明装置１１にイベントＩＤを設定する（ステップＳ１０８）。なお、主催者がイベント主催者端末２を用いてオンラインによりイベントＩＤの取得および照明装置１１への設定を行う場合について説明したが、前述したように、手動（オフライン）で、イベントＩＤの取得および照明装置１１への設定を行ってもよい。
【００３９】
その後、イベント会場１においてイベントが開始されると、照明装置１１は照明透かしを含んだ照明を開始し（ステップＳ１１１）、イベントの終了により照明を終了する（ステップＳ１１２）。
【００４０】
イベントの最中において、観客が自己の携帯端末６によりイベントの撮影を開始し（ステップＳ１１３）、撮影を終了して（ステップＳ１１４）、撮影で得た動画を動画共有装置５に対して投稿したとする（ステップＳ１１５）。なお、撮影が完了した時点で生成される動画ファイルの形式による投稿の場合のシーケンスを示したが、生放送としてストリーミング形式の動画の投稿を行う場合は、投稿の開始の操作によって撮影しながらの動画の投稿（ステップＳ１１５）が開始される。
【００４１】
動画共有装置５の投稿受付部５０３は、動画の投稿を受け付けると、動画を所定の場所に保存する（ステップＳ１１６）。ストリーミング形式の動画の投稿の場合は、一時的な保存（バッファリング）を行い、録画を行う場合には永続的な保存も行う。
【００４２】
次いで、照明透かし抽出部５０５は、投稿された動画を解析し、埋め込まれた照明透かしを抽出する（ステップＳ１１７）。
【００４３】
そして、公開判断部５０６は、照明透かしによるイベントＩＤが抽出されたか否か、抽出されたイベントＩＤが登録されているか否か等に応じ、公開の可否等の取扱方法を判断し、広告付与部５０７、公開部５０８を用いて公開制御を行う（ステップＳ１１８）。
【００４４】
図８は公開判断部５０６、広告付与部５０７および公開部５０８による公開制御の処理例を示している。図８において、公開判断部５０６は、照明透かしから抽出されたものがイベント情報管理テーブル５０２に登録されたイベントＩＤであるか否か判断する（ステップＳ１２１）。公開判断部５０６は、イベント情報管理テーブル５０２に登録されたイベントＩＤでないと判断した場合（動画に照明透かしが含まれていない場合を含む）（ステップＳ１２１のＮｏ）、通常の動画の投稿と同様の公開制御を行う（ステップＳ１２２）。例えば、電子指紋等によるフィルタリングを行うか、無条件に公開する。
【００４５】
公開判断部５０６は、イベント情報管理テーブル５０２に登録されたイベントＩＤであると判断した場合（ステップＳ１２１のＹｅｓ）、動画管理テーブル５０４に情報を登録する（ステップＳ１２３）。すなわち、新たに発行した動画ＩＤと、受付時に保存した場所のＵＲＬと、投稿ユーザＩＤと、イベントＩＤと、イベント情報管理テーブル５０２でイベントＩＤに紐づけられた権利者、公開制御、公開期限を登録する。
【００４６】
次いで、公開判断部５０６は、イベント情報管理テーブル５０２におけるイベントＩＤに対応する公開チェックが「要」であるか否か判断する（ステップＳ１２４）。公開判断部５０６は、公開チェックが「要」であると判断した場合（ステップＳ１２４のＹｅｓ）、動画管理テーブル５０４のイベントＩＤに対応する公開制御を保留状態とし、権利者に通知して、応答後に手動等により上書きする（ステップＳ１２５）。
【００４７】
また、公開判断部５０６は、公開チェックが「要」でないと判断した場合（ステップＳ１２４のＮｏ）または公開チェックによる上書き後に、動画管理テーブル５０４のイベントＩＤに対応する公開制御が何であるか判断する（ステップＳ１２６）。公開判断部５０６は、公開制御が「公開」である場合、投稿された動画を公開部５０８により公開する（ステップＳ１２７）。例えば、動画ごとの公開の可否を設定する情報を有効とし、外部から検索および閲覧が行える状態にする。
【００４８】
また、公開判断部５０６は、公開制御が「広告付き公開」である場合、広告付与部５０７により動画に所定の広告を付与し、公開部５０８により公開する（ステップＳ１２８）。例えば、投稿された動画の上に広告情報を重畳したり、動画が始まる前に予告編のように広告情報を表示したり、動画の周辺に広告情報を同時に表示する等の形態で表示する設定を行う。
【００４９】
公開判断部５０６は、公開制御が「非公開」である場合、動画を非公開にする（ステップＳ１２９）。例えば、動画ごとの公開の可否を設定する情報がデフォルトで無効となっている場合は、特に処理は行わない。また、運営者によっては、非公開の動画につき、所定の期限を経過した後は動画を削除する。
【００５０】
図９は、公開された動画に公開期限が付されている場合の公開判断部５０６による処理例を示している。図９において、公開判断部５０６は、動画管理テーブル５０４を参照し、公開中であって（ステップＳ１３１のＹｅｓ）、公開期限がある動画に対し（ステップＳ１３２のＹｅｓ）、公開期限が到来したか否か判断する（ステップＳ１３３）。公開期限の到来の判断は、現在日時と公開期限とを比較することにより行う。そして、公開判断部５０６は、公開期限が到来していると判断した場合（ステップＳ１３３のＹｅｓ）、動画を非公開にする（ステップＳ１３４）。例えば、動画ごとの公開の可否を設定する情報を無効とし、外部から検索および閲覧が行えない状態にする。
【００５１】
次に、動画の閲覧時および情報提供時の処理を図１０に沿って説明する。図１０において、公開された動画を閲覧しようとした一般ユーザが携帯端末７から動画共有装置５にログインおよび閲覧のアクセスを行うことで（ステップＳ１４１）、携帯端末７は動画データを取得し（ステップＳ１４２）、動画の表示が行われる（ステップＳ１４３）。
【００５２】
一方、動画共有装置５のアクセス管理部５０９は、アクセスの履歴をアクセス履歴テーブル５１０に登録する（ステップＳ１４４）。アクセス履歴テーブル５１０に記録される情報は、図５で説明したように、アクセス日時、アクセスユーザＩＤ、動画ＩＤ等を含む。
【００５３】
図１０に戻り、その後の所定のタイミングで、動画共有装置５の情報提供部５１１は、動画管理テーブル５０４とアクセス履歴テーブル５１０の情報を参照し（ステップＳ１５１）、権利者に対する提供情報を生成する（ステップＳ１５２）。提供情報としては、例えば、権利者ごとに、その権利者に対応付けられたイベントについて、動画ＩＤと投稿ユーザＩＤを提供情報に含めることができる。また、権利者ごとに、その権利者に対応付けられたイベントについて、動画ＩＤとアクセスユーザＩＤを提供情報に含めることができる。また、図１１に示すような、ユーザ情報を参照することで、投稿ユーザやアクセスユーザの属性情報（メールアドレス、性別、年齢層、居住地、職業、趣味等）を付加することもできる。図１２は権利者への提供情報の例を示しており、投稿情報とアクセス情報のほかに、確認のために主催者が登録したイベント情報も含めている。
【００５４】
提供情報を取得した権利者は、例えば、投稿された動画へのリンクを、イベントがコンサートである場合には歌手やミュージシャンのホームページやその関連ページに張り付けることで、動画を歌手等のプロモーションに活用することが可能となる。歌手等のホームページ等では、権利者側で用意しただけの動画では画一的になりがちであるが、一般の観客が様々な位置から撮影した動画が簡単に閲覧可能になることで、コンサート等の模様をリアルに伝えることができ、高いプロモーションの効果を得ることが期待される。
【００５５】
また、動画を投稿したユーザや動画を閲覧したユーザの情報に基づき、例えば、それらのユーザに対してイベントに関連する情報の送付やクーポン配布等のプロモーションを行うことができる。また、動画を投稿・閲覧したユーザの属性情報に基づき、視聴ユーザ分析を行うこともできる。
【００５６】
更に、権利者は、投稿または閲覧された動画ＩＤを活用することで、権利者が動画の内容を把握したうえで、さらに特別なプロモーションを行うことも可能である。例えば、自動車ショーのイベントの場合、撮影しているのが自動車の運転席なのか車全体なのか等によって、ユーザが何に関心を持っているかを判断することができ、適切な内容のプロモーションに切り替えることが可能である。なお、動画が長く、様々な内容を含んでいる場合、閲覧された部分（動画の開始からの時間帯）をアクセス履歴の一部として取得することにより、ユーザが関心を持っている内容を特定しやすくなる。
【００５７】
＜変形例＞
上述した実施形態では、イベントＩＤを一元的に発行し、イベント情報を事前登録し、照明透かしにイベントＩＤを含める場合について説明したが、種々の変形を行うことができる。例えば、イベントＩＤについては、前述したようにイベントの開催場所と開催日時の情報を組み合わせることで、一元的に管理することなく、イベント主催者側で重複しないイベントＩＤを生成することができる。また、照明透かしに埋め込める情報量に収まる範囲内で、イベント情報（図３）の全部または一部を照明透かしに含めることで、イベント情報の事前登録を省略することができる。
【００５８】
＜総括＞
以上説明したように、本実施形態によれば、投稿された動画のコンテンツをイベントごとに制御することができる。これにより、イベントの主催者側が意図したように著作権コントロールを行うことができる。
【００５９】
また、主催者側は、投稿された動画をプロモーション等に二次利用することが可能になる。
【００６０】
以上、好適な実施の形態により説明した。ここでは特定の具体例を示して説明したが、特許請求の範囲に定義された広範な趣旨および範囲から逸脱することなく、これら具体例に様々な修正および変更を加えることができることは明らかである。すなわち、具体例の詳細および添付の図面により限定されるものと解釈してはならない。
【００６１】
以上の説明に関し、更に以下の項を開示する。
（付記１）
開催されるイベントの識別情報により変調された光を前記イベント内で照射する照明部と、
投稿された動画から光の変調により埋め込まれた前記識別情報を抽出し、該識別情報に対応付けられた制御情報で指定された処理を実行する制御部と、
を備えたことを特徴とするコンテンツ配信システム。
（付記２）
前記制御情報で指定された処理は、前記動画の公開または非公開に対応する処理である、
ことを特徴とする付記１に記載のコンテンツ配信システム。
（付記３）
前記識別情報は、イベントごとに重複なく発行される情報であり、該情報が前記動画から抽出された場合に、該情報に対応付けられた前記制御情報を特定し、該制御情報で指定された処理を実行する、
ことを特徴とする付記１または２に記載のコンテンツ配信システム。
（付記４）
前記識別情報は、イベントの開催場所および開催日時に対応する情報であり、該情報が前記動画から抽出された場合に、該情報に対応付けられた前記制御情報を特定し、該制御情報で指定された処理を実行する、
ことを特徴とする付記１または２に記載のコンテンツ配信システム。
（付記５）
前記動画の投稿または閲覧に関する情報を前記イベントの主催者または権利者に提供する提供部、
を備えたことを特徴とする付記１乃至４のいずれか一項に記載のコンテンツ配信システム。
（付記６）
動画の投稿を受け付ける受付部と、
受け付けた動画から、照明光による、光の変調により埋め込まれたイベントの識別情報を抽出し、該識別情報に対応付けられた制御情報で指定された処理を実行する制御部と、
を備えたことを特徴とする情報処理装置。
（付記７）
イベントで使用される照明光に光の変調により埋め込む前記イベントの識別情報であって、投稿された動画に対する処理を指定する制御情報に対応付けられた識別情報を発行する発行部、
を備えたことを特徴とする情報処理装置。
（付記８）
前記制御情報で指定された処理は、前記動画の公開または非公開に対応する処理である、
ことを特徴とする付記６または７に記載の情報処理装置。
（付記９）
前記識別情報は、イベントごとに重複なく発行される情報であり、該情報が前記動画から抽出された場合に、該情報に対応付けられた前記制御情報を特定し、該制御情報で指定された処理を実行する、
ことを特徴とする付記６乃至８のいずれか一項に記載の情報処理装置。
（付記１０）
前記識別情報は、イベントの開催場所および開催日時に対応する情報であり、該情報が前記動画から抽出された場合に、該情報に対応付けられた前記制御情報を特定し、該制御情報で指定された処理を実行する、
ことを特徴とする付記６乃至８のいずれか一項に記載の情報処理装置。
（付記１１）
前記動画の投稿または閲覧に関する情報を前記イベントの主催者または権利者に提供する提供部、
を備えたことを特徴とする付記６に記載の情報処理装置。
（付記１２）
動画の投稿を受け付け、
受け付けた動画から、照明光による、光の変調により埋め込まれたイベントの識別情報を抽出し、該識別情報に対応付けられた制御情報で指定された処理を実行する、
処理をコンピュータに実行させることを特徴とするコンテンツ配信制御プログラム。
（付記１３）
イベントで使用される照明光に光の変調により埋め込む前記イベントの識別情報であって、投稿された動画に対する処理を指定する制御情報に対応付けられた識別情報を発行する、
処理をコンピュータに実行させることを特徴とするコンテンツ配信制御プログラム。
（付記１４）
前記制御情報で指定された処理は、前記動画の公開または非公開に対応する処理である、
ことを特徴とする付記１２または１３に記載のコンテンツ配信制御プログラム。
（付記１５）
前記識別情報は、イベントごとに重複なく発行される情報であり、該情報が前記動画から抽出された場合に、該情報に対応付けられた前記制御情報を特定し、該制御情報で指定された処理を実行する、
ことを特徴とする付記１２乃至１４のいずれか一項に記載のコンテンツ配信制御プログラム。
（付記１６）
前記識別情報は、イベントの開催場所および開催日時に対応する情報であり、該情報が前記動画から抽出された場合に、該情報に対応付けられた前記制御情報を特定し、該制御情報で指定された処理を実行する、
ことを特徴とする付記１２乃至１４のいずれか一項に記載のコンテンツ配信制御プログラム。
（付記１７）
前記動画の投稿または閲覧に関する情報を前記イベントの主催者または権利者に提供する、
ことを特徴とする付記１２に記載のコンテンツ配信制御プログラム。
（付記１８）
動画の投稿を受け付け、
受け付けた動画から、照明光による、光の変調により埋め込まれたイベントの識別情報を抽出し、該識別情報に対応付けられた制御情報で指定された処理を実行する、
処理をコンピュータが実行することを特徴とするコンテンツ配信制御方法。
（付記１９）
イベントで使用される照明光に光の変調により埋め込む前記イベントの識別情報であって、投稿された動画に対する処理を指定する制御情報に対応付けられた識別情報を発行する、
処理をコンピュータが実行することを特徴とするコンテンツ配信制御方法。
（付記２０）
前記制御情報で指定された処理は、前記動画の公開または非公開に対応する処理である、
ことを特徴とする付記１８または１９に記載のコンテンツ配信制御方法。
（付記２１）
前記識別情報は、イベントごとに重複なく発行される情報であり、該情報が前記動画から抽出された場合に、該情報に対応付けられた前記制御情報を特定し、該制御情報で指定された処理を実行する、
ことを特徴とする付記１８乃至２０のいずれか一項に記載のコンテンツ配信制御方法。
（付記２２）
前記識別情報は、イベントの開催場所および開催日時に対応する情報であり、該情報が前記動画から抽出された場合に、該情報に対応付けられた前記制御情報を特定し、該制御情報で指定された処理を実行する、
ことを特徴とする付記１８乃至２０のいずれか一項に記載のコンテンツ配信制御方法。
（付記２３）
前記動画の投稿または閲覧に関する情報を前記イベントの主催者または権利者に提供する、
ことを特徴とする付記１８に記載のコンテンツ配信制御方法。
【符号の説明】
【００６２】
１          イベント会場
１１        照明装置
１２        コントローラ
１３        被写体
２          イベント主催者端末
３          イベント情報管理装置
３１        イベント情報受付部
３２        イベント情報管理テーブル
３３        イベントＩＤ発行部
３４        イベント情報提供部
４          ネットワーク
５          動画共有装置
５０１      イベント情報受信部
５０２      イベント情報管理テーブル
５０３      投稿受付部
５０４      動画管理テーブル
５０５      照明透かし抽出部
５０６      公開判断部
５０７      広告付与部
５０８      公開部
５０９      アクセス管理部
５１０      アクセス履歴テーブル
５１１      情報提供部
６、７      携帯端末
【図１】
2018074412.tif 000003
【図２】
2018074412.tif 000004
【図３】
2018074412.tif 000005
【図４】
2018074412.tif 000006
【図５】
2018074412.tif 000007
【図６】
2018074412.tif 000008
【図７】
2018074412.tif 000009
【図８】
2018074412.tif 000010
【図９】
2018074412.tif 000011
【図１０】
2018074412.tif 000012
【図１１】
2018074412.tif 000013
【図１２】
2018074412.tif 000014